(57)【要約】      （修正有）【課題】ノイズフィルタ装置の揺動によって信号ケーブルを通過する信号に発生するノイズを削減できるノイズフィルタ装置の取り付け構造及び、その構造を備えた記録装置と液体噴射装置を提供する。【解決手段】制御回路が形成された主制御基板１４と、主制御基板１４上の制御回路とコネクタ１３を介して一端側が接続され他端側がキャリッジモータに接続されるように主制御基板１４とキャリッジモータとの間に可動的に配設される信号ケーブル１２と、信号ケーブル１２の一端側に取り付けられるフェライトコア１５とを備えるフェライトコア１５の取り付け構造において、主制御基板１４のコネクタ１３近傍位置に基板開口部１８を設け、基板開口部１８を挿通させた固定用結束バンド１６にてフェライトコア１５を固定した。【選択図】図６
2006253511.tif 000002
【特許請求の範囲】
【請求項１】
第１の信号処理回路が形成された基板と、該基板上の前記第１の信号処理回路とコネクタを介して一端側が接続され他端側が第２の信号処理回路に接続されるように前記基板と前記第２の信号処理回路との間に可動的に配設される信号ケーブルと、前記信号ケーブルの前記一端側に取り付けられるノイズフィルタ装置とを備えるノイズフィルタ装置の取り付け構造において、前記基板の前記コネクタ近傍位置に穴を設け、該穴を挿通させた結束部材にて前記ノイズフィルタ装置を固定したことを特徴とするノイズフィルタ装置の取り付け構造。
【請求項２】
前記ノイズフィルタ装置はリング状のフェライトコアにより構成されることを特徴とする請求項１記載のノイズフィルタ装置の取り付け構造。
【請求項３】
被記録媒体に記録する記録装置であって、請求項１又は２に記載のノイズフィルタ装置の取り付け構造を備えたことを特徴とする記録装置。
【請求項４】
被噴射媒体に液体を噴射する液体噴射装置であって、請求項１又は２に記載のノイズフィルタ装置の取り付け構造を備えたことを特徴とする液体噴射装置。
【発明の詳細な説明】
【技術分野】
【０００１】
本発明は、ノイズフィルタ装置の揺動を防止し、当該揺動によって発生するノイズを削減する取り付け構造及び、その取り付け構造を備えた記録装置と液体噴射装置に関する。
【背景技術】
【０００２】
従来、プリンタ等の記録装置を構成する回路基板及び、当該回路基板で制御されるモータ等の各装置は、信号ケーブルで接続されている。当該信号ケーブルには、他の装置等から輻射された電磁波によって輻射ノイズが発生する。また、他の装置で発生したノイズが他の回路基板やケーブルを伝導して、上記の信号ケーブルに侵入する。そこで、輻射ノイズ及び、伝導ノイズを低減させるため、上記の信号ケーブルにノイズフィルタ装置を取り付けている。当該取り付け構造は、採用するノイズフィルタ装置の種類によって異なる。また、同じノイズフィルタ装置を採用しても、使用状況により異なっている。そのため、ノイズフィルタ装置の取り付け構造は多数発案されている。例えば、ノイズフィルタ装置であるフェライトコアの中央の穴に、上記の信号ケーブルを挿通させた簡易な構造がある（特許文献１参照。）。
【０００３】
しかし、フェライトコアの中央の穴に、上記の信号ケーブルを挿通させた簡易な構造では、信号ケーブルのインダクタンス成分が低く、ノイズを低減させる効果が充分に期待できなかった。そこで、図７に示すように、ノイズの低減効果を改善するため、フェライトコア５の中央の穴に、信号ケーブル（接地線７）を挿通させ、数回巻回した構造もある。ここで、図７は、従来のフェライトコア５を接地線７に数回巻回した構造を示す正面図である。図７において、プリンタ等の記録装置の電源基板９に、商用周波数電源を供給する外部ケーブル用のインレット１を実装している。当該インレット１は、接地端子２及び、リード端子３を備えている。当該接地端子２には、接地線７が接続され、接地線７の先端部には圧着端子８が設けられている。接地線７は外部ケーブルを伝導して、プリンタ等の記録装置内に侵入してくるノイズを大地に放出している。接地線７にも、ノイズを低減するため、フェライトコア５が設けられている。接地線７はフェライトコア５に数回巻回されている。
【０００４】
また、図８に示すように、上記のインレット１と接地端子２の先端部２ａ間に、フェライトコア５を接地端子２の外周面を被覆するように取り付けた構造が採用されている。図８は、従来のフェライトコア５をインレット１と接地端子２の先端部２ａ間に取り付けた構造を示す正面図である。フェライトコア５の中央の穴に、インレット１の接地端子２を挿通して、インレット１に接触させた後、接地端子２の先端部２ａをプレスして形状を大きくしている。よって、フェライトコア５は図中右端面がインレット１に接触し、図中左端面が接地端子２の先端部２ａに接触している。これより、フェライトコア５は接地端子２の先端部２ａに支持され、脱落が防止されている。
【０００５】
更に、図９に示すように、インレット１の内部にフェライトコア５Ａ及び、５Ｂを取り付けた構造も採用されている。図９は、従来のフェライトコア５をインレット１の内部に設けた構造を示す断面図である。図９では、インレット１の内部の接地端子部分２ｉ及び、リード端子部分３ｉにフェライトコア５Ａ及び、５Ｂが取り付けられている。フェライトコア５Ａ及び、５Ｂは、それぞれ、当該各端子部分２ｉ及び、３ｉの外周面を被覆するように取り付けられている。（特許文献２参照。）
【特許文献１】特開平０９−１９０８５５号公報
【特許文献２】実開平６−６３３３５号公報
【発明の開示】
【発明が解決しようとする課題】
【０００６】
上述した特許文献１に示すフェライトコアの取り付け構造では、回路基板から当該回路基板で制御されるモータ等の各装置に信号を送信する信号ケーブルは、フェライトコアの中央の穴を挿通して、上記の回路基板上のコネクタ及び、上記の各装置の端子に接続される。しかし、回路基板上のコネクタ及び、各装置の端子以外では、上記の制御ケーブルは固定されていなかった。また、フェライトコアは何れにも固定されていなかった。そのため、キャリッジの移動、又は、モータの回転・停止等により発生する振動で、フェライトコア及び、信号ケーブルが揺動する場合があった。フェライトコア及び、信号ケーブルが揺動すると、電磁波を輻射するＩＣ又は、モータ等に近づき、又は、遠ざかることより、信号ケーブルを通過する制御信号にノイズが発生するといった問題もあった。元来、フェライトコア及び、信号ケーブルが揺動しなくとも、プリンタ等の記録装置内部のＩＣ又は、モータ等から輻射された電磁波が変動すると、上記の信号ケーブルを通過する制御信号にノイズが発生していた。しかし、上記のフェライトコア及び、信号ケーブルの揺動によりノイズが発生することで、当該ノイズ及び、輻射された電磁波の変動により発生するノイズが重畳し、当該制御信号に発生するノイズの大きさが安定しないといった問題もあった。また、規格上、プリンタ等の記録装置全体から輻射される電磁波の大きさについて、最大許容値が規定されている。そこで、電磁波を測定し、許容値以下か否か判定している。しかし、上記の制御信号に発生するノイズの大きさが安定しないと、プリンタ等の記録装置全体から輻射される電磁波の大きさも安定せず、測定値が最大許容値以下にならない虞を否定できないといった問題があった。
【０００７】
更に、信号ケーブルの冗長化に伴い、キャリッジの移動、又は、モータの回転・停止等により発生する振動で、フェライトコア及び、信号ケーブルが大きく揺動するといった問題が顕著に現れ、他の装置に衝突する虞を否定できないといった問題があった。他の装置に衝突することから、フェライトコアが破損する虞も否定できないといった問題もあった。これに対して、フェライトコアを衝撃吸収材で覆うといった対策が採用されていたが、この対策を採用しても、フェライトコアが破損する虞を完全に否定できなかった。
また、図７に示したフェライトコア５の取り付け構造では、フェライトコア５に接地線７を数回巻回し、接地線７をインレット１及び、図示しない筐体にのみ接続していた。また、フェライトコア５は何れにも固定されていなかった。よって、上述した特許文献１に示すフェライトコアの取り付け構造と同様の問題があった。
【０００８】
また、図８に示したフェライトコア５の取り付け構造では、外部ケーブル用のインレット１と接地端子２の先端部２ａとの間に、接地線７の外周部を被覆するようにフェライトコア５を取り付けていた。フェライトコア５の図中右端面がインレット１と接触し、また、図中左端面は接地端子２の先端部２ａと接触することで、フェライトコア５は接地端子２の先端部２ａに支持され、脱落が防止されていた。しかし、この構造でも、フェライトコア５は図中前後又は、上下に揺動する余地があり、上述した特許文献１に示すフェライトコアの取り付け構造と同様の問題があった。更に、フェライトコア５をインレット１に取り付けする場合、接地端子２の先端部２ａをプレスする必要があるため、作業性が悪いといった問題もあった。また、図８では、フェライトコア５の中央の穴に接地線２を挿通させているだけなので、フェライトコア５に接地端子２を数回巻回する図７に示したフェライトコア５の取り付け構造と比較すると、ノイズの低減効果が悪くなるといった問題があった。
【０００９】
また、図９に示したフェライトコア５の取り付け構造では、上記の接地端子部分２ｉの外周部を被覆するように、インレット１内部の接地端子部分２ｉにフェライトコア５Ａを取り付けている。そのため、インレット１の構造が複雑になるといった問題があった。また、フェライトコア５Ａの中央の穴に接地線７を挿通させているだけなので、フェライトコア５に接地線７を数回巻回する図７に示したフェライトコア５の取り付け構造と比較すると、ノイズの低減効果が悪くなるといった問題があった。
【００１０】
そこで、本発明は、上記のような種々の課題に鑑みなされたものであり、その目的は、ノイズの低減効果を悪くすることなく、信号ケーブルを接続するコネクタを複雑な構造にすることなく、及びノイズフィルタ装置を取り付ける作業の作業性を悪化させることなく、ノイズフィルタ装置及び当該ノイズフィルタ装置に巻回された信号ケーブルが揺動することを防止すること、上記の揺動によって信号ケーブルを通過する制御信号に発生するノイズを削減し、上記の制御信号に発生するノイズの大きさを安定させること、及び記録装置全体から輻射される電磁波の大きさについて、確実に許容値以下にすることが可能なノイズフィルタ装置の取り付け構造を提供することにある。
【００１１】
また、他の目的は、ノイズの低減効果を悪くすることなく、信号ケーブルを接続するコネクタを複雑な構造にすることなく、及び、ノイズフィルタ装置を取り付ける作業の作業性を悪化させることなく、ノイズフィルタ装置及び上記の信号ケーブルが揺動することを防止し、ノイズフィルタ装置が他の装置に衝突することを防止できるノイズフィルタ装置の取り付け構造を提供することにある。
【課題を解決するための手段】
【００１２】
上記目的達成のため、本発明のノイズフィルタ装置の取り付け構造では、第１の信号処理回路が形成された基板と、該基板上の前記第１の信号処理回路とコネクタを介して一端側が接続され他端側が第２の信号処理回路に接続されるように前記基板と前記第２の信号処理回路との間に可動的に配設される信号ケーブルと、前記信号ケーブルの前記一端側に取り付けられるノイズフィルタ装置とを備えるノイズフィルタ装置の取り付け構造において、前記基板の前記コネクタ近傍位置に穴を設け、該穴を挿通させた結束部材にて前記ノイズフィルタ装置を固定したことを特徴としている。
【００１３】
これにより、信号ケーブルに取り付けられるノイズフィルタ装置を基板の近傍に固定することで、ノイズの低減効果を悪くすることなく、信号ケーブルを接続するコネクタを複雑な構造にすることなく、及びノイズフィルタ装置を取り付ける作業の作業性を悪化させることなく、ノイズフィルタ装置及び信号ケーブルが揺動することを防止することができる。すなわち、上記の揺動によって、信号ケーブルを通過する信号に発生するノイズを削減することができる。これから、信号ケーブルを通過する信号に発生するノイズの大きさを安定させることが可能となる。更に、上記のノイズの大きさが安定することから、記録装置全体から輻射される電磁波の大きさも安定する。よって、当該電磁波の大きさについて、確実に最大許容値以下にすることが可能となる。更に、ノイズフィルタ装置が他の装置に衝突することを完全に防止することができる。よって、ノイズフィルタ装置を衝撃吸収材で覆う必要がなくなり、衝撃吸収材を無くすこともできる。
【００１４】
また、本発明のノイズフィルタ装置の取り付け構造では、前記ノイズフィルタ装置はリング状のフェライトコアにより構成されることを特徴としている。これにより、基板に形成した穴に挿通させた結束部材で、ノイズフィルタ装置であるリング状のフェライトコアを容易に固定することができる。
【００１５】
また、本発明の記録装置では、上記のノイズフィルタ装置の取り付け構造を備えたことを特徴としている。これにより、上記のノイズフィルタ装置の取り付け構造を備えた記録装置を提供することができる。
【００１６】
また、本発明の液体噴射装置では、上記のノイズフィルタ装置の取り付け構造を備えたことを特徴としている。これにより、上記のノイズフィルタ装置の取り付け構造を備えた液体噴射装置を提供することができる。
【発明を実施するための最良の形態】
【００１７】
本発明の実施形態の一つについて、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００１８】
図１は、本発明の一の実施形態に係る記録装置の１つであるインクジェット式複合機１００の外観構成の全体を示す斜視図である。このインクジェット式複合機１００は、例えばＪＩＳ規格のＬ判やＡ６判からＡ４判までのサイズの単票紙やハガキに記録することができるプリンタ機能と、ＪＩＳ規格のＡ４判までのサイズの原稿及びＵＳ規格のレターサイズまでの原稿を読み取ることができるスキャナ機能と、ＪＩＳ規格のＬ判、２Ｌ判、Ｂ５判、Ａ４判、六切り、ハガキのサイズの用紙に複写することができるコピー機能を備えている。
【００１９】
このインクジェット式複合機１００は、全体が略直方体状のハウジング１０１で覆われており、下段にプリンタ１１０が配設され、上段にスキャナ１２０が配設された構成となっている。ユーザは、重量のあるスキャナ１２０全体を持ち上げることで、プリンタ１１０の内部を開放することができ、プリンタ内部で紙詰まり等の不具合が発生した場合に、従来のように容易に不具合を解消できる構造となっている。そして、インクジェット式複合機１００のプリンタ１１０の背面側に給紙部１３０が配設され、前面側に給排紙部１４０が配設されている。記録前の用紙のセッティング方向として背面側の給紙部１３０及び前面側の給排紙部１４０の一方または両方を選択することができる構造となっている。さらに、記録後の用紙は常に前面側の給排紙部１４０から排紙されるので、ユーザは用紙を容易に取り出すことができる。
【００２０】
ハウジング１０１の上面には、矩形平板状のスキャナカバー１０２が配設されている。このスキャナカバー１０２は、前部に取っ手１０３が形成されており、後部の回転軸を中心に図示矢印ａ方向に回転可能に取り付けられている。ユーザは、スキャナ１２０を使用するときは、取っ手１０３に指を差し込んでスキャナカバー１０２を開閉して、図示しないスキャナ台に原稿を配置し、原稿をスキャンする。
【００２１】
ハウジング１０１の上面のスキャナカバー１０２の手前には、プリンタ１１０、スキャナ１２０、コピーの各動作を指示する操作部１０６が配設されている。操作部１０６は、符号を付さないボタン等及び、液晶パネル１０７等を備えている。ボタン等は、パワーをオン・オフするパワー系、用紙の頭出し等を操作したりインクのフラッシング等を操作する操作系、画像処理等を行う処理系等のボタンである。また、液晶パネル１０７等はインクジェット式複合機１００の状態を表示するために配設されている。ユーザは、液晶パネル１０７を見て確認しながらボタン等を操作することができる。
【００２２】
図２は、図１に示すインクジェット式複合機１００のプリンタ１１０の内部構造を示す斜視図である。プリンタ１１０の前面両側には、複数のインクカートリッジ１０が抜き差しされるカートリッジ収納部１０４がそれぞれ形成されている。各インクカートリッジ１０は、記録用の各色のインクを貯留している。また、プリンタ１１０の内部には、給紙部１３０と給排紙部１４０、及び記録部１５０等が配設されている。
【００２３】
記録部１５０は、記録動作に同期して副走査方向に用紙を送る図示しないローラと、図示しないその従動ローラ、記録動作に同期して主走査方向に移動するキャリッジ１５３、記録動作に同期してインクを吐出する図示しない記録ヘッド、記録時の用紙を平坦に保持する図示しないプラテン等から構成されている。また、キャリッジ１５３は、図示しないプラテンの上方でキャリッジベルト１５８に連結されている。キャリッジベルト１５８は、キャリッジモータ１５９の回転によって作動する。よって、キャリッジ１５３は、キャリッジモータ１５９の回転によってキャリッジベルト１５８が作動すると、キャリッジベルト１５８の動きに連行され、往復移動するようになっている。
【００２４】
ここで、本実施形態のキャリッジモータ１５９は、インクジェット式複合機１００のプリンタ１１０の背面側で給紙部１３０の近傍に配設されている。また、キャリッジモータ１５９はパルスモータであり、主制御基板１４（図４参照）から送信する信号に対応して、回転・停止を実行する。後述するが、キャリッジモータ１５９と主制御基板１４は信号ケーブル１２（図４参照）で接続されている。本実施形態の信号ケーブル１２のキャリッジモータ１５９近傍には、図示しないノイズフィルタ装置が取り付けられている。また、信号ケーブル１２の主制御基板１４近傍にも、ノイズフィルタ装置の一種であるフェライトコア１５（図４参照）が取り付けられている。
【００２５】
図３は、図１に示す操作部１０６と主制御基板ユニット１７の位置関係を示す斜視図である。操作部１０６の下方には、図３に示すように、主制御基板ユニット１７が配設されている。操作部１０６の裏側には、図示しない操作基板が配設されており、図示しない操作基板は、接地部材２０を通して、主制御基板ユニット１７と電気的に接続されている。すなわち、本実施形態の主制御基板ユニット１７は、インクジェット式複合機１００の正面側で操作部１０６の斜め下方に配設されている。図２及び、図３に示したように、キャリッジモータ１５９と、主制御基板ユニット１７は遠く離れた位置に配設されている。これに伴い、主制御基板ユニット１７を形成する主制御基板１４（図４参照）と、キャリッジモータ１５９とを接続する信号ケーブル１２（図４参照）は長くなっている。よって、信号ケーブル１２の冗長化に伴い、キャリッジ１５３の移動、又は、キャリッジモータ１５９の回転・停止等により発生する振動で、フェライトコア１５（図４参照）及び、信号ケーブル１２が揺動する問題が顕著に現れている。そこで、後述する本発明の特徴部分であるフェライトコイル１５の取り付け構造を採用することで、フェライトコイル１５及び、信号ケーブル１２が揺動することを防止している。
【００２６】
図４は、図３に示す主制御基板ユニット１７に、本発明の特徴部分であるフェライトコア１５の取り付け構造を適用した状態を平面から見た斜視図である。主制御基板ユニット１７は、主制御基板１４、シールドプレート１１及び、符号を付さないボトムフレームから構成されている。シールドプレート１１は、主制御基板１４に実装された電子部品から発生した電磁波を他の装置に輻射しないように、又は、主制御基板１４が他の装置から輻射された電磁波の影響を受けないように、主制御基板１４を覆っている。また、シールドプレート１１は、インクジェット式複合機１００の図示しない接地端子と導通しており、主制御基板１４に実装された電子部品から発生した電磁波及び、他の装置から輻射された電磁波を上記の接地端子から接地線を介して、インクジェット式複合機１００の外に放出している。
【００２７】
主制御基板１４上には、図示しないＩＣ、図示しないコイル及び、図示しないコンデンサ等の電子部品が実装されている。上記の電子部品によって、インクジェット式複合機１００を制御する制御回路１９を形成している。主制御基板１４上の制御回路１９は、モータ等の各装置に信号を送信している。本実施形態では、制御回路１９からキャリッジモータ１５９に信号を送信している。制御回路１９はコネクタ１３を介して、キャリッジモータ１５９と信号ケーブル１２で接続されている。上記のシールドプレート１１は、コネクタ１３に接続される信号ケーブル１２と干渉しないように、主制御基板１４のコネクタ１３周辺を覆わない形状で形成されている。
【００２８】
ここで、他の装置から輻射された電磁波は、コネクタ１３に接続された信号ケーブル１２を通過する信号にノイズを発生させる。このノイズは信号ケーブル１２からコネクタ１３を介して主制御基板１４に侵入する。そこで、信号ケーブル１２は、主制御基板１４のコネクタ１３周辺に設けられたノイズフィルタ装置であるフェライトコア１５に数回巻回されて接続されている。信号ケーブル１２にフェライトコア１５を数回に巻くことで、信号ケーブル１２のインダクタンス成分を増大させている。信号ケーブル１２が接続しているキャリッジモータ１５９は、上述したようにパルスモータであるので、信号ケーブル１２を通過してキャリッジモータ１５９に伝送される信号は、パルス状の波形を形成している。上記のインダクタンス成分は、上記のパルス波形の信号を減衰させることなく通過させる。一方、上記のインダクタンス成分は、上記の信号の高周波成分、すなわち、ノイズを減衰させる。これにより、信号ケーブル１２を通過する信号に発生するノイズを低減させることができる。更に、フェライトコア１５が主制御基板１４上のコネクタ１３及び、キャリッジモータ１５９以外の位置で固定されている。
【００２９】
図５は、図４に示す主制御基板ユニット１７を構成する電子部品を実装する前の主制御基板１４の詳細平面図である。図５に示す主制御基板１４には４層基板が使用されている。主制御基板１４の各層には、それぞれの用途により、配線パターン、グラウンドパターン及び、電源パターンが形成されている。各種パターンを形成した後、主制御基板１４は必要な部分を除いて、レジスト２６を塗布して絶縁する。ここで、各種パターンの必要な部分とは、電子部品を取り付け、半田付けされる部分を示している。
【００３０】
図５において、主制御基板１４の４層構造の表層には、複数の種類の電子部品を実装するために形成された各種配線パターンが示されている。例えば、ＢＧＡパッケージ用配線パターン２１、コネクタ用配線パターン２２、コンデンサ用配線パターン２３、コイル用配線パターン２４、ＱＦＰパッケージ用配線パターン２５が形成されている。よって、ＢＧＡパッケージ用配線パターン２１には図示しないＢＧＡパッケージが、コネクタ用配線パターン２２にはコネクタ１３が実装される。また、コンデンサ用配線パターン２３には図示しないコンデンサが、コイル用配線パターン２４には図示しないコイルが、ＱＦＰパッケージ用配線パターン２５には図示しないＱＦＰパッケージが実装される。
【００３１】
ここで、図示しないＢＧＡパッケージ及びＱＦＰパッケージはＩＣであり、インクジェット式複合機１００の動作を制御する制御回路１９を構成している。図示しないコイル及びコンデンサは、インクジェット式複合機１００内に予め決められたの電圧を供給する電源回路の一部を構成している。また、主制御基板１４上のコネクタ１３は信号ケーブル１２と接続する。信号ケーブル１２は、上述したキャリッジモータ１５９の端子とも接続する。これより、信号ケーブル１２を通して、制御回路１９はキャリッジモータ１５９に信号を送信し、キャリッジモータ１５９の動作を制御している。
【００３２】
上述したように、インクジェット式複合機１００の他の装置から輻射された電磁波は、信号ケーブル１２を通過する信号にノイズを発生させる。このノイズは信号ケーブル１２からコネクタ１３を介して主制御基板１４に侵入する。主制御基板１４に侵入したノイズは、主制御基板１４上の電子部品に悪影響を及ぼす虞を否定できない。そこで、本実施形態の主制御基板１４は、シールドプレート１１で覆われている。シールドプレート１１は、他の装置から輻射された電磁波を遮蔽し、インクジェット式複合機１００の外部に図示しない接地線を通して放出している。これにより、主制御基板ユニット１７は、他の装置から輻射される電磁波が主制御基板１４に侵入し難い構造で形成されている。
【００３３】
しかし、シールドプレート１１は、他の装置から輻射された電磁波によって、信号ケーブル１２を通過する信号に発生したノイズが、信号ケーブル１２からコネクタ１３を介して主制御基板１４に侵入することを保護することはできない。そこで、信号ケーブル１２にノイズフィルタ装置であるフェライトコア１５を取り付けている。具体的には、信号ケーブル１２をフェライトコア１５に数回巻回し、主制御基板１４上のコネクタ１３に接続する。信号ケーブル１２をフェライトコア１５に数回に巻くことで、上述したように、信号ケーブル１２のインダクタンス成分を増大させている。上記のインダクタンス成分は、上記のパルス波形の信号を減衰させることなく通過させつつ、上記の信号の高周波成分、すなわち、ノイズを減衰させる。これにより、信号ケーブル１２を通過する信号に発生するノイズを低減させることができる。
【００３４】
更に、図５には、本発明の特徴部分である基板開口部１８が示されている。基板開口部１８は、フェライトコア１５を固定用結束バンド１６（図６参照）で固定する場合に、固定用結束バンド１６を主制御基板１４に挿通させるために形成している。当然ながら、基板開口部１８には、上記の各種パターンと干渉しないように、いずれのパターンも形成されていない。また、本実施形態の基板開口部１８は貫通穴であり、主制御基板１４の裏面まで貫通している。これにより、固定用結束バンド１６を挿通させる作業を容易に実行することができる。
【００３５】
図６は、図４に示すフェライトコア１５の周辺拡大図である。図６では、フェライトコア１５に信号ケーブル１２を数回巻回し、主制御基板１４上のコネクタ１３に信号ケーブル１２を接続している。これにより、フェライトコア１５に信号ケーブル１２を数回巻回したことで、図８に示した取り付け構造よりも、信号ケーブル１２のインダクタンス成分を増大させることができ、よりノイズを低減させることができる。更に、フェライトコア１５の取り付け作業の作業性も向上している。また、図９に示した取り付け構造と異なり、複雑な構造を有するコネクタを必要としないで、ノイズを低減させることができる。
【００３６】
また、主制御基板１４は基板開口部１８を２ヶ所形成されている。基板開口部１８に固定用結束バンド１６を挿通している。更に、リング状のフェライトコア１５の中央の穴に、固定用結束バンド１６を挿通して、フェライトコア１５を主制御基板１４に固定している。これにより、図７に示した取り付け構造と異なり、キャリッジ１５３の移動、又は、キャリッジモータ１５９等の回転・停止等により発生する振動で、フェライトコア１５及び、信号ケーブル１２が揺動することを防止することができる。よって、フェライトコア１５及び、信号ケーブル１２が揺動することで、発生していたノイズを削減することができる。更に、上記のフェライトコア１５及び、信号ケーブル１２の揺動により発生するノイズを削減できることから、信号ケーブル１２を通過する信号に発生するノイズの大きさを安定させることが可能となる。更に、上記のノイズの大きさが安定することから、インクジェット式複合機１００全体から輻射される電磁波の大きさも安定する。よって、当該電磁波の大きさについて、確実に最大許容値以下にすることが可能となる。
【００３７】
更に、フェライトコア１５が他の装置に衝突することを完全に防止することができる。よって、フェライトコア１５を衝撃吸収材で覆う必要がなくなり、衝撃吸収材を無くすこともできる。
【００３８】
以上のように、本実施形態のノイズフィルタ装置の取り付け構造によれば、第１の信号処理回路である制御回路１９が形成された主制御基板１４と、主制御基板１４上の制御回路１９とコネクタ１３を介して一端側が接続され他端側が第２の信号処理回路であるキャリッジモータ１５９に接続されるように主制御基板１４とキャリッジモータ１５９との間に可動的に配設される信号ケーブル１２と、信号ケーブル１２の一端側に取り付けられるノイズフィルタ装置であるフェライトコア１５とを備えている。更に、主制御基板１４のコネクタ１３近傍位置に穴である基板開口部１８を設け、基板開口部１８を挿通させた結束部材である固定用結束バンド１６にてフェライトコア１５を固定している。
【００３９】
これにより、信号ケーブル１２に取り付けられるフェライトコア１５を主制御基板１４の近傍に固定することで、ノイズの低減効果を悪くすることなく、信号ケーブル１２を接続するコネクタ１３を複雑な構造にすることなく、及び、フェライトコア１５を取り付ける作業の作業性を悪化させることなく、キャリッジ１５３の移動、又は、キャリッジモータ１５９等の回転・停止等により発生する振動で、フェライトコア１５及び、信号ケーブル１２が揺動することを防止することができる。すなわち、上記の揺動によって、信号ケーブル１２を通過する信号に発生するノイズを削減することができる。これから、信号ケーブル１２を通過する信号に発生するノイズの大きさを安定させることが可能となる。更に、上記のノイズの大きさが安定することから、インクジェット式複合機１００全体から輻射される電磁波の大きさも安定する。よって、当該電磁波の大きさについて、確実に最大許容値以下にすることが可能となる。更に、フェライトコア１５が他の装置に衝突することを完全に防止することができる。よって、フェライトコア１５を衝撃吸収材で覆う必要がなくなり、衝撃吸収材を無くすこともできる。
【００４０】
また、本実施形態のノイズフィルタ装置の取り付け構造によれば、ノイズフィルタ装置はリング状のフェライトコア１５により構成されているので、主制御基板１４に形成した基板開口部１８に挿通させた固定用結束バンド１６で、フェライトコア１５を容易に固定することができる。
【００４１】
なお、本発明の範囲は上述した実施形態に限られず、特許請求の範囲の記載に反しない限り、他の様々な実施形態に適用可能である。例えば、本実施形態では、主制御基板１４とキャリッジモータ１５９を接続する信号ケーブル１２に取り付けられたフェライトコア１５を主制御基板１４に固定しているが、特にこれに限定されるものでなく、フェライトコア１５を他の装置又は、筐体に固定しても良い。しかし、フェライトコア１５を主制御基板１４に固定することで、主制御基板１４に侵入するノイズをより効率良く低減させることができる。また、フェライトコア１５を取り付けたケーブルであれば、例えば、電源基板と紙送りモータ等を接続するケーブルにも適用可能である。更に、他の装置間を接続していても良い。また、ケーブルでなくとも、フェライトコア１５の揺動によってノイズが発生する媒体であれば適用可能である。
【００４２】
また、本実施形態では、リング状のフェライトコア１５に本発明を適用しているが、特にこれに限定されるものでなく、他のノイズフィルタ装置についても適用可能である。
【００４３】
また、本実施形態では、フェライトコア１５を主制御基板１４に固定用結束バンド１６で固定しているが、特にこれに限定されるものでなく、他の方法で固定しても良いのは言うまでも無い。
【００４４】
また、本実施形態では、フェライトコア１５を主制御基板１４に固定するため、主制御基板１４に貫通穴である基板開口部１８を形成しているが、特にこれに限定されるものでなく、基板開口部１８は貫通穴でなくても良い。しかし、基板開口部１８を貫通穴で形成することで、固定用結束バンド１６を挿通させる作業を容易に実行することができる。
【産業上の利用可能性】
【００４５】
信号ケーブルにノイズフィルタ装置を備える記録装置等であれば、例えば、プリンタ、ファクシミリ装置、コピー装置等であっても適用可能である。また、記録装置や読取装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４６】
【図１】本発明の一の実施形態に係る記録装置の１つであるインクジェット式複合機の外観構成の全体を示す斜視図である。
【図２】図１に示すインクジェット式複合機のプリンタの内部構造を示す斜視図である。
【図３】図１に示すの操作部と主制御基板ユニットの位置関係を示す斜視図である。
【図４】図３に示す主制御基板ユニットに、本発明の特徴部分であるフェライトコアの取り付け構造を適用した状態を平面から見た斜視図である。
【図５】図４に示す主制御基板ユニットを構成する電子部品を実装する前の主制御基板の詳細平面図である。
【図６】図４に示すフェライトコアの周辺拡大図である。
【図７】従来のフェライトコアを接地線に数回巻回した構造を示す正面図である。
【図８】従来のフェライトコアをインレットと接地端子の先端部間に取り付けた構造を示す正面図である。
【図９】従来のフェライトコアをインレットの内部に設けた構造を示す断面図である。
【符号の説明】
【００４７】
１、インレット、２  接地端子、２ａ  先端部、２ｉ  接地端子部分、３  リード端子、３ｉ  リード端子部分、５、５Ａ、５Ｂ  フェライトコア、７  接地線、８  圧着端子、９  電源基板、
１０  インクカートリッジ、１１  シールドプレート、
１２  信号ケーブル、１３  コネクタ、１４  主制御基板、１５  フェライトコア、
１６  固定用結束バンド、１７  主制御基板ユニット、１８  基板開口部、
１９  制御回路、２０  接地部材、
２１  ＢＧＡパッケージ用配線パターン、２２  コネクタ用配線パターン、
２３  コンデンサ用配線パターン、２４  コイル用配線パターン、
２５  ＱＦＰパッケージ用配線パターン、２６  レジスト、
１００  インクジェット式複合機、１０１  ハウジング、１０２  スキャナカバー、
１０３  取っ手、１０４  カートリッジ収納部、１０６  操作部、１０７  液晶パネル、１１０  プリンタ、１２０  スキャナ、１３０  給紙部、１４０  給排紙部、
１５０  記録部、１５３  キャリッジ、１５８  キャリッジベルト、
１５９  キャリッジモータ
【図１】
2006253511.tif 000003
【図２】
2006253511.tif 000004
【図３】
2006253511.tif 000005
【図４】
2006253511.tif 000006
【図５】
2006253511.tif 000007
【図６】
2006253511.tif 000008
【図７】
2006253511.tif 000009
【図８】
2006253511.tif 000010
【図９】
2006253511.tif 000011